【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
ログイン検証方法であって、
第１のアカウントシステムにログインするためのユーザからのログイン要求であって、少なくともログインされる１つのアカウントを含む、ログイン要求をホストにおいて取得することと、
前記ホスト内に記憶された属性情報から、前記ログインされるアカウントに対応する第２のアカウントシステムの属性情報を決定することと、
少なくとも前記第２のアカウントシステムの前記属性情報を含むログイン検証情報を前記ホストにおいて生成することと、
前記ログイン検証情報をサーバに送信することであって、前記ログイン検証情報内の前記第２のアカウントシステムの前記属性情報は、前記サーバが、前記第２のアカウントシステムの前記属性情報を前記ログインされるアカウントに対応する事前に記憶された信頼できる属性情報と比較するとき、かつ共通部分が存在し、前記共通部分が事前に設定された基準を満たすとき、ログインが信頼できることを決定するための根拠となる、送信することと、を含む、方法。
【請求項２】
前記事前に記憶された属性情報は、
前記ユーザが最初に前記ログインされるアカウントにログインするために送信したログイン要求を取得することと、
第１のログインホスト内に記憶された属性情報から前記ログインされるアカウントに対応する第２のアカウントシステムの属性情報を決定することと、
関連した前記第１のアカウントシステムの前記属性情報を前記サーバに送信することと、によって取得される、請求項１に記載の方法。
【請求項３】
前記属性情報は、前記第２のアカウントシステムに対応するネットワークフローの事前に設定されたメッセージ、または前記事前に設定されたメッセージの事前に設定されたセグメントを含む、請求項１に記載の方法。
【請求項４】
前記第２のアカウントシステムの前記属性情報に対する不可逆処理を実施することをさらに含む、請求項１に記載の方法。
【請求項５】
前記不可逆処理を実施することは、前記第２のアカウントシステムの前記属性情報にハッシュ値操作を適用して、ハッシュ値を取得することを含む、請求項４に記載の方法。
【請求項６】
前記不可逆処理は、関連した前記第２のアカウントシステムの前記属性情報が前記送信中に悪意を持って修正されないことを確実にするように、前記ログイン検証情報を前記サーバに送信する前に実施される、請求項４に記載の方法。
【請求項７】
第１のアカウントシステムのためのログイン検証方法であって、
クライアントから送信されたログイン検証情報を受信することであって、前記ログイン検証情報は、少なくともログインされる前記第１のアカウントシステムのアカウントに対応する第２のアカウントシステムの属性情報を含み、前記第２のアカウントシステムの前記属性情報は、前記クライアントがログイン要求をユーザから取得した後、現在のログインホスト内に記憶された属性情報から決定される、受信することと、
前記第２のアカウントシステムの前記属性情報を前記ログインされるアカウントに対応する事前に記憶された信頼できる属性情報と比較することと、
共通部分が存在し、前記共通部分が事前に設定された基準を満たすとき、ログインが信頼できることを決定することと、を含む、方法。
【請求項８】
共通部分が存在しないか、または前記共通部分が前記事前に設定された基準を満たさないとき、前記方法は、
前記現在のログインホストが信用されたホストであるかどうかを検証し、肯定的である場合、前記ログインが信頼できることを決定し、肯定的ではない場合、前記ログインが信頼できないことを決定することをさらに含む、請求項７に記載の方法。
【請求項９】
前記ログイン検証情報が前記現在のログインホストの機械属性を含むとき、前記現在のログインホストが信用されたホストであるかどうかを検証することは、
前記現在のログインホストの機械特徴が第１の信頼基準を満たすとき、前記現在のログインホストが信用されたホストであることを決定することを含む、請求項８に記載の方法。
【請求項１０】
前記現在のログインホストが信用されたホストであるかどうかを検証することは、
前記現在のログインホストのログイン履歴記録を取得することと、
前記ログイン履歴記録が第２の信頼基準を満たすとき、前記現在のログインホストが信用されたホストであることを決定することと、を含む、請求項８に記載の方法。
【請求項１１】
前記現在のログインホストが信用されたホストであるかどうかを検証することは、
前記現在のログインホストに対する第２の検証を実施することと、
前記現在のログインホストが前記第２の検証に合格するとき、前記現在のログインホストが信用されたホストであることを決定することと、を含む、請求項８に記載の方法。
【請求項１２】
前記信頼できる属性情報は、
前記クライアントから前記ログインされるアカウントに対応する第１の関連したアカウントシステムの属性情報を受信することであって、前記第１の関連したアカウントシステムの前記属性情報は、前記ユーザが最初に前記ログインされるアカウントにログインする第１のログインホスト内に記憶された属性情報から決定される、受信することと、
前記第１の関連したアカウントシステムの前記属性情報に基づいて、前記ログインされるアカウントに対応する前記信頼できる属性情報を決定することと、によって取得される、請求項８に記載の方法。
【請求項１３】
前記現在のログインホストが信用されたホストであることを検証し、前記ログインが信頼できることを決定した後、前記方法は、
前記現在の関連したアカウントシステムの前記属性情報を前記ログインされるアカウントに対応する事前に記憶された信頼できる属性情報に追加して、前記ログインされるアカウントに対応する前記信頼できる属性情報を更新することをさらに含む、請求項１２に記載の方法。
【請求項１４】
１つ以上のプロセッサによって実行されるとき、前記１つ以上のプロセッサに、
クライアントから送信された第１のアカウントシステムのためのログイン検証情報を受信することであって、前記ログイン検証情報は、少なくともログインされるアカウントに対応する第２のアカウントシステムの属性情報を含み、前記第２のアカウントシステムの前記属性情報は、前記クライアントがユーザからのログイン要求を取得した後、現在のログインホスト内に記憶された属性情報から決定される、受信することと、
前記第２のアカウントシステムの前記属性情報を前記ログインされるアカウントに対応する事前に記憶された信頼できる属性情報と比較することと、
共通部分が存在し、前記共通部分が事前に設定された基準を満たすとき、ログインが信頼できることを決定することと、を含む行為を実施させる実行可能な命令を記憶する、１つ以上のコンピュータ可読媒体。
【請求項１５】
共通部分が存在しないか、または前記共通部分が事前に設定された基準を満たさないとき、前記行為は、
前記現在のログインホストが信用されたホストであるかどうかを検証し、肯定的である場合、前記ログインが信頼できることを決定し、肯定的ではない場合、前記ログインが信頼できないことを決定することをさらに含む、請求項１４に記載の媒体。
【請求項１６】
前記ログイン検証情報が前記現在のログインホストの機械属性を含むとき、前記現在のログインホストが信用されたホストであるかどうかを検証することは、
前記現在のログインホストの機械特徴が第１の信頼基準を満たすとき、前記現在のログインホストが信用されたホストであることを決定することを含む、請求項１５に記載の媒体。
【請求項１７】
前記現在のログインホストが信用されたホストであるかどうかを検証することは、
前記現在のログインホストのログイン履歴記録を取得することと、
前記ログイン履歴記録が第２の信頼できる基準を満たすとき、前記現在のログインホストが信用されたホストであることを決定することと、を含む、請求項１５に記載の媒体。
【請求項１８】
前記現在のログインホストが信用されたホストであるかどうかを検証することは、
前記現在のログインホストに対する第２の検証を実施することと、
前記現在のログインホストが前記第２の検証に合格するとき、前記現在のログインホストが信用されたホストであることを決定することと、を含む、請求項１５に記載の媒体。
【請求項１９】
前記事前に記憶された属性情報は、
前記クライアントから前記ログインされるアカウントに対応する前記第２のアカウントシステムの属性情報を受信することであって、前記第２のアカウントシステムの前記属性情報は、前記ユーザが最初に前記ログインされるアカウントにログインする第１のログインホスト内に記憶された属性情報から決定される、受信することと、
関連した前記第１のアカウントシステムの前記属性情報に基づいて、前記ログインされるアカウントに対応する前記信頼できる属性情報を決定することと、によって取得される、請求項１５に記載の媒体。
【請求項２０】
前記現在のログインホストが信用されたホストであることを検証し、前記ログインが信頼できることを決定した後、前記行為は、
前記第２のアカウントシステムの前記属性情報を前記ログインされるアカウントに対応する事前に記憶された信頼できる属性情報に追加して、前記ログインされるアカウントに対応する前記信頼できる属性情報を更新することをさらに含む、請求項１９に記載の媒体。